(57)【特許請求の範囲】
【請求項１】
表示データを表示する透過型の表示パネルと、
前記表示パネルの背面から光を照射するバックライトユニットと、
前記表示パネルにカラー及びモノクロのいずれか一方で表示させる複数の表示データと、前記複数の表示データの各々に対応して設定された複数の輝度データと、を記憶する記憶部と、
前記表示パネルに表示すべき表示データと、それに対応する輝度データと、を前記記憶部から読み出し、読み出した表示データを前記表示パネルに表示し、読み出した輝度データに基づいて前記バックライトユニットの輝度を制御する表示制御を行う制御部と、を備え、
前記制御部は、前記表示データを前記表示パネルにカラーで表示している場合に、前記表示データをカラーで表示してから所定時間毎に前記バックライトユニットの輝度を段階的に低くし、かつ前記所定時間のいずれかのタイミングにおいて前記表示データを前記表示パネルにモノクロで表示する表示装置。
【請求項２】
ユーザの操作を受け付ける操作部を備え、
前記制御部は、前記バックライトユニットの輝度を通常輝度よりも低い輝度に制御する待機モードから、前記操作部が操作を受け付けて、この操作に応じた処理を行う通常モードに移行したときに、前記表示制御を行い、前記バックライトユニットの輝度を高くする請求項１に記載の表示装置。
【請求項３】
前記記憶部は、前記表示パネルに表示させる表示データが図形を含まない場合、
この表示データを前記表示パネルにモノクロで表示するモノクロ表示データと、前記バックライトユニットの通常輝度よりも低い輝度に設定する低輝度データと、を関連付けて記憶する、請求項１又は２に記載の表示装置。
【請求項４】
印刷ジョブを受け付ける受付部と、
前記受付部が受け付けた印刷ジョブに応じた印刷画像データを記録媒体に印刷する画像形成部と、
前記受付部で受け付ける印刷ジョブに関する表示データを前記表示パネルに表示する、請求項１乃至３のいずれかに記載の表示装置と、
を備えた画像形成装置。
【請求項５】
前記制御部は、前記受付部で所定量以上の印刷ジョブを受け付けると、印刷ジョブの進行状況の確認用表示データと、それに対応する輝度データと、を前記記憶部から読み出して、前記表示制御を行う、請求項４に記載の画像形成装置。
【発明の詳細な説明】
【技術分野】
【０００１】
本発明は、バックライトユニットを備えた表示装置、及びこの表示装置を備えた画像形成装置に関する。
【背景技術】
【０００２】
液晶パネルのような非発光で透過型の表示パネルを備えた表示装置は、表示パネルに表示する表示データを見やすくするために、表示パネルの背面側にバックライトを備えている。従来の表示装置には、操作されない状態が一定時間続くと、消費電力を低減するために、通常モードから待機モードに移行するものがあった。この表示装置は、待機モードに移行すると、バックライトの輝度を低下させ、また、表示パネルに表示する表示データをカラーからモノクロに変えることにより表示データの書き換え回数を減らして、電力の消費を低減していた（特許文献１参照。）。
【先行技術文献】
【特許文献】
【０００３】
【特許文献１】特開２００３−１６２２６１号公報
【発明の概要】
【発明が解決しようとする課題】
【０００４】
表示装置のバックライトは、輝度を低下させて使用すると寿命が長くなる。しかし、特許文献１に記載の表示装置では、待機モードから通常モードに移行すると、表示パネルに表示する表示データにかかわらず、一律にモノクロからカラーに変更し、バックライトの輝度を一律に低輝度から通常の輝度（高輝度）に変更していた。
【０００５】
そのため、通常モードで使用される時間が長くなるほど、バックライトを高輝度で点灯する時間が長くなるため、バックライトの寿命が短くなってしまうという問題があった。また、特許文献１に記載の表示装置では、待機モードから通常モードに移行すると、装置の消費電力が増加するという問題があった。
【０００６】
そこで、本発明は、バックライトユニットの寿命を長くすることができ、消費電力を低減できる表示装置及び画像形成装置を提供することを目的とする。
【課題を解決するための手段】
【０００７】
この発明の表示装置は、表示パネルと、バックライトユニットと、記憶部と、制御部と、を備えている。表示パネルは、透過型であり表示データを表示する。バックライトユニットは、表示パネルの背面から光を照射する。記憶部は、表示パネルにカラー及びモノクロのいずれか一方で表示させる複数の表示データと、複数の表示データの各々に対応して設定された複数の輝度データと、を記憶する。制御部は、表示パネルに表示すべき表示データと、それに対応する輝度データと、を記憶部から読み出し、読み出した表示データを表示パネルに表示し、読み出した輝度データに基づいてバックライトユニットの輝度を制御する表示制御を行う。制御部は、表示データを表示パネルにカラーで表示している場合に、表示データをカラーで表示してから所定時間毎にバックライトユニットの輝度を段階的に低くし、かつ所定時間のいずれかのタイミングにおいて表示データを表示パネルにモノクロで表示する。
【０００８】
この構成においては、表示パネルに表示させる表示データに応じてバックライトユニットの輝度を設定できる。例えば、以下のように設定する。細かい文字や図を含む表示データは、輝度を低くすると表示データの内容を確認できなくなるので、通常の輝度である高輝度に設定する。ジョブ状況の確認画面など表示量が少なく大きな文字により表示する表示データは、輝度をかなり低下させても表示データを確認できるので、表示データを最低限確認できる低い輝度である低輝度に設定する。ジョブの設定画面など文字や図が大きな表示データは、低輝度では表示データの確認は困難であるが、高輝度からある程度輝度を低下させても表示データの内容を確認できるので、低輝度と高輝度の中間の輝度である中輝度に設定する。
また、制御部は、表示データをカラーで表示した場合に、表示データをカラーで表示してから所定時間毎にバックライトの輝度を段階的に低くする。所定時間のいずれかのタイミングにおいて、制御部は、表示データをカラーで表示したままでは表示データの確認が困難になるため、表示データをモノクロで表示する。
【０００９】
このように、表示パネルに表示する表示データに応じてバックライトユニットの輝度を設定することで、表示パネルに表示した表示データの視認性を確保した上で、バックライトユニットの輝度を低くすることが可能となる。したがって、表示パネルに表示する表示データにかかわらずバックライトユニットの輝度を一律に設定する従来の方式に比べて、バックライトユニットの輝度を低下させることができるので、バックライトユニットの寿命を延ばすこと及び消費電力の低減ができる。また、バックライトユニットの輝度を低下させても、表示データの内容を十分に確認することができる。
【００１０】
上記発明の表示装置は、さらに操作部を備えている。操作部は、ユーザの操作を受け付ける。制御部は、バックライトユニットの輝度を通常輝度よりも低い輝度に制御する待機モードから、操作部が操作を受け付けて、この操作に応じた処理を行う通常モードに移行するときに、表示制御を行い、バックライトユニットの輝度を高くする。
【００１１】
表示装置において表示制御を行うのは、動作モードを待機モードから通常モードに移行するときである。従来の表示装置では、待機モードから通常モードに移行するときには、バックライトの輝度を一律に高輝度に変更していたが、この表示装置では、待機モードから通常モードに移行するときにも、表示データに応じてバックライトユニットの輝度を高輝度よりも低下させることが可能となる。
【００１４】
上記発明の表示装置では、記憶部は、表示パネルに表示させる表示データが図形を含まない場合、この表示データを表示パネルにモノクロで表示するモノクロ表示データと、バックライトユニットの通常輝度よりも低い輝度に設定する低輝度データと、を関連付けて記憶する。
【００１５】
バックライトの輝度を低くしたときには、モノクロ表示データの方がカラー表示データよりも表示データを確認しやすい。また、表示データが図形を含まず、文字や表により構成されている場合には、表示データが図形を含む場合よりも、バックライトの輝度を低下させても、表示データを確認できる。したがって、表示データが図形を含まず、文字や表により構成されている場合には、バックライトユニットの輝度を、表示データを確認可能な低い輝度に設定しておくことで、表示データの視認性が確保しながら、バックライトユニットの延命と消費電力の低減ができる。
【００１６】
上記の表示装置は、例えば、画像形成装置に適用可能である。
【００１７】
また、上記の画像形成装置では、制御部は、受付部で所定量以上の印刷ジョブを受け付けると、印刷ジョブの進行状況の確認用表示データと、それに対応する輝度データと、を記憶部から読み出して、表示制御を行う。
【００１８】
画像形成装置は、所定量以上の印刷ジョブを受け付けた場合、しばらくの間は印刷ジョブを連続的に行う。このとき、ユーザが、印刷ジョブの内容や進行状況を確認するために、操作部を操作することが考えられる。もし、ユーザが操作部を誤って操作すると、バックライトユニットの輝度が通常輝度に変わるおそれがある。この発明の画像形成装置は、所定量以上の印刷ジョブを受け付けたときには、表示パネルに印刷ジョブの進行状況の確認用表示データを表示する。そのため、ユーザが状況確認のために操作部を操作する必要がなく、操作部を誤操作して、バックライトユニットが通常輝度に変わるのを防止できる。また、印刷ジョブの進行状況の確認用表示データは、図形を表示しなくてもよいので、モノクロ表示データを表示しバックライトユニットの低輝度になるように設定することで、バックライトユニットの延命と、消費電力の低減ができる。
【発明の効果】
【００１９】
この発明によれば、表示データにかかわらず一律に輝度を同じ値に制御する場合と比較して、バックライトユニットの輝度を低くすることができる。これにより、バックライトユニットの寿命を長くすることができ、また、表示装置の消費電力を低減できる。
【図面の簡単な説明】
【００２０】
【図１】本発明の実施形態に係る表示装置を備えた画像形成装置の斜視外観図である。
【図２】（Ａ）は、表示装置の一例である表示パネルの外観図である。（Ｂ）は、表示パネルの断面図である。（Ｃ）は、バックライトユニットの一部を示す正面図である。
【図３】画像形成装置の内部構成を示す正面透視図である。
【図４】表示装置を備えた画像形成装置の制御系統を示すブロック図である。
【図５】記憶部が記憶する、表示データと輝度データを関連付けた表である。
【図６】画像形成装置の動作を説明するためのフローチャートである。
【図７】（Ａ）は、スタンバイ画面、（Ｂ）は、プリントジョブ履歴画面、（Ｃ）は、コピー倍率画面、及び（Ｄ）は、特別機能画面である。
【図８】（Ａ）は、割り付け（２ｉｎ１／４ｉｎ１）画面、（Ｂ）は、カラー調整画面、（Ｃ）は、ＲＧＢ（赤・緑・青）調整画面、及び（Ｄ）は、プリントジョブ画面である。
【発明を実施するための形態】
【００２１】
以下、本発明の表示装置の一例であるパネルユニットを備えた画像形成装置を例に挙げて説明する。
【００２２】
図１に示すように、画像形成装置１００は、パネルユニット１１０、自動原稿搬送部１２０、画像読取部１３０、画像形成部１４０、及び給紙部１５０を備えている。パネルユニット１１０は、表示部１０と操作部２０を備えている。
【００２３】
パネルユニット１１０は、画像形成装置１００の装置本体上部の正面側に設置されている。図２（Ａ），図２（Ｂ）に示すように、パネルユニット１１０において、表示部１０は、液晶パネル１１と、バックライトユニット１２を備えている。操作部２０は、タッチパネル２１、ジョブ状況／履歴ボタン２２、ジョブ機能選択ボタンであるコピー選択ボタン２３Ａ，プリンタ選択ボタン２３Ｂ，スキャナ選択ボタン２３Ｃを備えている。また、操作部２０は、ユーザ設定ボタン２４、テンキー２５、スタートボタン２６、クリアボタン２７、及びリセットボタン２８を備えている。タッチパネル２１は、液晶パネル１１の表面側に設置されている。
【００２４】
図２（Ｂ），図２（Ｃ）に示すように、パネルユニット１１０の表示部１０は、液晶パネル１１と、バックライトユニット１２を備えている。液晶パネル１１は、透過型の表示パネルである。液晶パネル１１は、カラー表示データ及びモノクロ表示データを表示する。バックライトユニット１２は、液晶パネル１１の背面に配置されており、液晶パネル１１に表示した表示データを見やすくするために、液晶パネル１１に光を照射する。
【００２５】
バックライトユニット１２は、光源として、ＬＥＤまたは蛍光管（ＣＣＦＴ管）を備えている。図２（Ｂ），図２（Ｃ）に示す例では、光源としてＬＥＤを備えている。
【００２６】
バックライトユニット１２は、筐体１３、複数のＬＥＤ１４（図２（Ｃ）にはＬＥＤ１４Ａ〜１４Ｐを図示）、反射シート１５、拡散板１６、拡散シート類１７、液晶１８、及びバックライト基板１９を備えている。
【００２７】
液晶パネル１１は、バックライトユニット１２の筐体１３に保持されている。液晶パネル１１の裏面側には、バックライト基板１９が設置されている。バックライト基板１９には、所定の間隔でＬＥＤ１４（ＬＥＤ１４Ａ〜ＬＥＤ１４Ｐ）が取り付けられている。バックライト基板１９の拡散板１６と対向する面には、反射シート１５が設置されている。反射シート１５は、ＬＥＤ１４が放射した光を液晶パネル１１の方向に反射する。
【００２８】
画像形成装置１００は、表示部の液晶パネル１１に現在の状態を表す表示データや、現在行っている印刷ジョブの状況を示す表示データなどを表示する。
【００２９】
また、画像形成装置１００は、操作部２０により、ユーザの操作を受け付ける。ユーザは、タッチパネル２１や、各操作ボタン類２２〜２８を操作することで、コピー、プリント、スキャンなどの印刷ジョブや読み取りジョブを画像形成装置１００に実行させることができる。
【００３０】
図３に示すように、画像形成装置１００の自動原稿搬送部１２０は、操作部２０で搬送原稿読取モードを受け付けたときには、原稿積載トレイ１２１に置かれた原稿を、搬送ユニット１２２により、第２原稿台１３２を経由して原稿排出トレイ１２３へ１枚ずつ搬送する。
【００３１】
画像読取部１３０は、操作部２０で搬送原稿読取モードを受け付けたときには、第２原稿台１３２上を通過する原稿を読み取って印刷画像データを生成する。また、画像読取部１３０は、操作部２０で固定原稿読取モードを受け付けたときには、第１原稿台１３１上に置かれた原稿を読み取って印刷画像データを生成する。
【００３２】
画像形成部１４０は、光走査ユニット４０、４個の画像形成ステーション５０Ａ，５０Ｂ，５０Ｃ，５０Ｄ、中間転写ベルトユニット６０、二次転写ローラ７０、定着装置８０、及び用紙排紙トレイ９５を備えている。画像形成ステーション５０Ａ〜５０Ｄは、中間転写ベルトユニット６０の中間転写ベルト６１の移動経路に沿って一列に配置されている。
【００３３】
画像読取部１３０が読み取った印刷画像データは、ブラック、シアン、マゼンタ及びイエローの４つの色相の印刷画像データに分けられて、光走査ユニット４０に送られる。光走査ユニット４０は、４つの色相の印刷画像データによって変調されたレーザビームを、画像形成ステーション５０Ａ〜５０Ｄの感光体ドラム５１Ａ，５１Ｂ，５１Ｃ，５１Ｄへ個別に照射する。これにより、４個の感光体ドラム５１Ａ〜５１Ｄの周面には、ブラック、シアン、マゼンタ及びイエローの各色相の印刷画像データに基づく静電潜像がそれぞれ形成される。
【００３４】
画像形成ステーション５０Ａ〜５０Ｄは、それぞれ感光体ドラム５１Ａ〜５１Ｄに形成された静電潜像にブラック、シアン、マゼンタ及びイエローのトナー（現像剤）を供給し、静電潜像をトナー像に顕像化する。
【００３５】
画像形成ステーション５０Ａ〜５０Ｄにおいて、感光体ドラム５１Ａ〜５１Ｄのそれぞれに形成された各色相のトナー像は、中間転写ベルト６１の外周面に順次重ねて一次転写され、中間転写ベルト６１の外周面にフルカラーのトナー像が担持される。
【００３６】
なお、ブラックのみの印刷画像データが入力された場合は、ブラックのトナー像が中間転写ベルト６１の外周面に一次転写される。
【００３７】
中間転写ベルト６１の外周面に一次転写されたトナー像は、中間転写ベルト６１の回転によって、中間転写ベルト６１と二次転写ローラ７０との対向位置である二次転写位置へ搬送される。
【００３８】
給紙部１５０は、給紙トレイ９１、手差しトレイ９２、第１用紙搬送路９３、及び第２用紙搬送路９４を備えている。給紙トレイ９１及び手差しトレイ９２のそれぞれには、用紙として、普通紙、印画紙、またはＯＨＰフィルム等の記録媒体が収容される。第１用紙搬送路９３は、給紙トレイ９１及び手差しトレイ９２のそれぞれから二次転写位置及び定着装置８０を経由して用紙排紙トレイ９５へ至るように形成されている。第２用紙搬送路９４は、両面印刷用の用紙搬送路であり、一方の面に画像を形成された（トナー像が転写された）用紙が表裏を反転された状態で再び二次転写位置へ搬送されるように形成されている。
【００３９】
中間転写ベルト４１の外周面に一次転写されたトナー像は、給紙部１５０から給紙された用紙が二次転写位置を経由する際に、用紙に二次転写される。
【００４０】
トナー像が転写された用紙は、定着装置８０へ搬送され、加熱ローラ８１と加圧ローラ８２との間を通過する際に加熱及び加圧される。これにより、トナー像が、用紙の表面に定着する。トナー像が定着した用紙は、用紙排紙トレイ９５上へ排出される。
【００４１】
次に、画像形成装置１００の制御系統について説明する。図４に示すように、画像形成装置１００では、表示部１０、操作部２０、自動原稿搬送部１２０、画像読取部１３０、画像形成部１４０、給紙部１５０、記憶部１６０、画像処理部１７０、及び通信部１８０が、制御部１９０に接続されている。
【００４２】
画像形成装置１００において、表示部１０、操作部２０、記憶部１６０、及び制御部１９０が、表示装置１０１の構成に相当する。
【００４３】
画像形成装置１００の制御部１９０は、パネルユニット１１０の操作部２０で操作を受け付けると、表示部１０、自動原稿搬送部１２０、画像読取り部１３０、画像形成部１４０、及び給紙部１５０の制御を行う。また、制御部１９０は、通信回線２００を介して通信部１８０でパソコン２１０から印刷ジョブを受信すると、画像形成部１４０で画像形成を行う。また、制御部１９０は、画像読取り部１３０で読み取った印刷画像データや、通信部１８０で受信した印刷ジョブに含まれる印刷画像データに対して画像処理が必要なときには、画像処理部１７０で画像処理を行う。画像読取り部１３０及び通信部１８０は、本発明の受付部に相当する。
【００４４】
記憶部１６０は、制御部１９０が実行する処理プログラム、表示部１０の液晶パネル１１に表示する複数の表示データ、バックライトユニット１２の輝度を制御するための複数の輝度データなどを記憶している。複数の輝度データは、複数の表示データの各々に対応した輝度に設定されている。
【００４５】
画像形成装置１００では、表示部１０のバックライトユニット１２をスタティック点灯している場合には、バックライトユニット１２に印加する電圧を低下させて、バックライトユニット１２の輝度を低下させる。また、バックライトユニット１２をダイナミック点灯（パルス点灯）している場合には、オン／オフのデューティー比を変更して、バックライトユニット１２の輝度を低下させる。
【００４６】
以下の説明では、画像形成装置１００の制御部１９０は、表示部１０の液晶パネル１１に表示データを表示する場合、バックライトユニット１２の輝度を、通常輝度（高輝度）、中輝度、低輝度の３つの輝度に制御することができるものとする。
【００４７】
表示部１０のバックライトユニット１２を通常輝度（高輝度）で点灯させる場合には、スタティック点灯している場合には、定格電圧を印加している。また、ダイナミック点灯している場合には、オン／オフのデューティー比１００％に設定している。また、バックライトユニット１２の輝度を中輝度に制御した場合、通常輝度の５０％の輝度とする。また、バックライトユニット１２の輝度を低輝度に制御した場合、通常輝度の２０％の輝度とする。
【００４８】
画像形成装置１００は、記憶部１６０において、表示部１０の液晶パネル１１に表示する複数の表示データと、複数の表示データの各々に対応して設定された、バックライトユニット１２の複数の輝度データと、を関連付けて記憶している。例えば、記憶部１６０は、図５に示す表２５０のように、管理番号、画面名、液晶パネル１１に表示する表示データ、及びバックライトユニット１２の輝度データを関連付けて記憶している。
【００４９】
このようにしているのは、画像形成装置１００が、待機モードから通常モードに移行したときに、バックライトユニット１２を、液晶パネル１１に表示する表示データに応じた輝度で点灯させるためである。
【００５０】
次に、画像形成装置１００の動作について、図６に示したフローチャートに基づいて説明する。
【００５１】
画像形成装置１００の制御部１９０は、電源が投入されると、記憶部１６０から制御プログラムを読み出して実行する。また、制御部１９０は、起動時に表示する管理番号１Ａの表示データであるカラーのスタンバイ表示データと、対応する輝度データを記憶部１６０から読み出す。そして、制御部１９０は、表示部１０の液晶パネル１１に図７（Ａ）に示すような表示データを表示させ、バックライトユニット１２の輝度を通常輝度（高輝度）に制御する（Ｓ１）。制御部１９０は、印刷ジョブを実行可能な状態になると、計時を開始して、操作部２０での操作の受け付けや、通信部１８０でのパソコン２１０から印刷ジョブの受信を待ち受ける（Ｓ２）。この状態を通常モードと称する。
【００５２】
制御部１９０は、計時を開始してから所定時間（例えば、５分）が経過しても、操作部２０での操作の受け付けや、通信部１８０でのパソコン２１０から印刷ジョブの受信がなれければ（Ｓ２：Ｙ）、通常モードから第１待機モードに移行する。このとき、制御部１９０は、画像形成部１４０において加熱が必要な部分の温度を低下させて、消費電力の低減を図る。例えば、画像形成ステーション５０Ａ〜５０Ｄの感光体ドラム５１Ａ〜５１Ｄや定着装置８０の加熱ローラ８１の温度を低下させる。
【００５３】
また、制御部１９０は、第１待機モードでは、記憶部１６０が管理番号１Ｂの表示データと輝度データを読み出して、表示部１０のバックライトユニット１２の輝度を通常輝度（高輝度）から中輝度に変更し、新たに計時を開始する（Ｓ３）。なお、通常モードのときのスタンバイ表示データ（カラー）と、第１待機モードのときのスタンバイ表示データ（カラー）は同じデータである。
【００５４】
制御部１９０は、バックライトユニット１２の輝度を中輝度に変更してから所定時間（例えば、５分）が経過しても、ユーザの操作の受け付けやパソコン２１０からの印刷ジョブの受信を検出しなければ（Ｓ４：Ｙ）、第１待機モードから第２待機モードに移行する。このとき、制御部１９０は、記憶部１６０から、管理番号１Ｃの表示データと輝度データを読み出す。そして、液晶パネル１１に表示しているカラーのスタンバイ表示データを、モノクロのスタンバイ表示データに変更する。また、バックライトユニット１２の輝度を低輝度に変更する（Ｓ５）。なお、第１待機モードのカラーのスタンバイ表示データと、第２待機モードのモノクロのスタンバイ表示データの内容は同じであり、色が異なる。
【００５５】
このように、所定時間毎にバックライトユニット１２の輝度を変更することで、バックライトユニットの輝度が急激に変更されることがないので、表示装置の表示を見ているユーザに違和感を与えずに、表示装置の消費電力を低減できる。また、バックライトユニット１２の寿命を延ばすことができる。
【００５６】
なお、ステップＳ２及びステップＳ４の所定時間は、ユーザが変更可能である。
【００５７】
制御部１９０は、ユーザの操作の受け付けやパソコン２１０からの印刷ジョブの受信を検出していなければ（Ｓ６：Ｎ）、引き続き、液晶パネル１１にモノクロのスタンバイ表示データを表示し、バックライトユニット１２の輝度を低輝度に制御する（Ｓ５）。
【００５８】
一方、制御部１９０は、ユーザの操作の受け付けやパソコン２１０からの印刷ジョブの受信を検出すると、第２待機モードから通常モードに移行する。制御部１９０は、受け付けた操作または検出したジョブに応じた表示データと輝度データを記憶部１６０から読み出す（Ｓ６：Ｙ）。そして、制御部１９０は、液晶パネル１１に読み出した表示データを表示し、バックライトユニットの輝度をこの表示データに応じた輝度に制御する表示制御を行う。
【００５９】
制御部１９０は、読み出した表示データがモノクロ表示データで、輝度データが低輝度データに設定されている場合には（Ｓ７：Ｙ）、液晶パネル１１にモノクロ表示データを表示し、バックライトユニット１２の輝度を低輝度に制御する（Ｓ５）。
【００６０】
例えば、制御部１９０は、パネルユニット１１０のジョブ状況／履歴ボタン２２とコピー選択ボタン２３Ａの操作を検出した場合には、記憶部１６０から管理番号２−１の表示データと輝度データを読み出す。そして、図７（Ｂ）に示すようなモノクロのプリントジョブ履歴表示データを液晶パネル１１に表示させ、バックライトユニット１２を低輝度に設定する。
【００６１】
また、制御部１９０は、図７（Ａ）に示したスタンバイ画面３００のコピー倍率ボタン３０５の操作を、タッチパネル２１により検出した場合には、記憶部１６０から管理番号１−６の表示データと輝度データを読み出す。そして、図７（Ｃ）に示すようなモノクロのコピー倍率表示データを液晶パネル１１に表示させ、バックライトユニット１２を低輝度に設定する。
【００６２】
図７（Ｂ）に示したプリントジョブ履歴表示データや、図７（Ｃ）に示したコピー倍率表示データのように、液晶パネル１１に表示する表示データが、文字と表を含む表示データや文字のみの表示データであれば、バックライトユニット１２を低輝度に制御しても、液晶パネル１１に表示データをモノクロで表示することで、ユーザは、表示データの内容を十分確認できる。そこで、画像形成装置１００（表示装置１０１）では、第２待機モードから通常モードに移行したときに、上記のような特徴の表示データを液晶パネル１１にモノクロで表示し、バックライトユニット１２を低輝度に設定する。なお、後述の図７（Ｄ）に示す特別機能表示データ、図８（Ｂ）に示すカラー調整表示データ、及び図８（Ｄ）に示すプリントジョブ状況表示データも、同じ理由により、液晶パネル１１にモノクロで表示し、バックライトユニット１２を低輝度に設定するようにしている。
【００６３】
制御部１９０は、読み出した表示データがカラー表示データで、輝度データが中輝度に設定されている場合には（Ｓ７：Ｎ、Ｓ８：Ｙ）、液晶パネル１１にカラー表示データを表示し、バックライトユニット１２の輝度を中輝度に制御する。
【００６４】
例えば、制御部１９０は、図７（Ａ）に示したスタンバイ画面３００の特別機能ボタン３０１の操作を、タッチパネル２１により検出した場合には、記憶部１６０から管理番号１−１の表示データと輝度データを読み出す。そして、図７（Ｄ）に示すモノクロの特別機能表示データを液晶パネル１１に表示させ、バックライトユニット１２を低輝度に設定する。続いて、制御部１９０は、図７（Ｄ）に示した特別機能画面３４０の割り付け（２ｉｎ１／４ｉｎ１）ボタン３４３の操作を、タッチパネル２１により検出した場合には、記憶部１６０から管理番号１−１−３の表示データと輝度データ読み出す。そして、図８（Ａ）に示すカラーの割り付け表示データを液晶パネル１１に表示させ、バックライトユニット１２を中輝度に設定する。
【００６５】
図８（Ａ）に示した割り付け表示データのように、液晶パネル１１に表示する表示データが、文字と図形を含む表示データなど、色分けが必要な表示データであれば、バックライトユニットの輝度を低輝度に制御すると、表示データが見えにくくなる。そこで、画像形成装置１００（表示装置１０１）では、第２待機モードから通常モードに移行したときに、上記のような特徴の表示データを液晶パネル１１にカラーで表示し、バックライトユニット１２を中輝度に設定する。
【００６６】
制御部１９０は、読み出した表示データがカラー表示データで、輝度データが通常輝度（高輝度）に設定されている場合には（Ｓ７：Ｎ、Ｓ８：Ｎ）、液晶パネル１１にカラー表示データを表示し、バックライトユニット１２の輝度を通常輝度に制御する（Ｓ１）。
【００６７】
例えば、制御部１９０は、図７（Ｄ）に示した特別機能画面３４０のカラー調整ボタン３４５の操作を、タッチパネル２１により検出すると、記憶部１６０から管理番号１−１−５の表示データと輝度データ読み出す。そして、図８（Ｂ）に示すモノクロのカラー調整表示データを液晶パネル１１に表示させ、バックライトユニット１２を低輝度に設定する。続いて、制御部１９０は、図８（Ｂ）に示したカラー調整画面３６０のＲＧＢ（赤・緑・青）調整ボタン３６１の操作を、タッチパネル２１により検出すると、記憶部１６０から管理番号１−１−５−１の表示データと輝度データ読み出す。そして、図８（Ｃ）に示すカラーのＲＧＢ調整表示データを液晶パネル１１に表示させ、バックライトユニット１２を通常輝度（高輝度）に設定する。
【００６８】
図８（Ｃ）に示したＲＧＢ調整表示データのように、液晶パネル１１に表示する表示データが、カラーで表示すべき表示データや、非常に細かい文字や図形を含む表示データなどの場合、バックライトユニットの輝度を通常輝度（高輝度）よりも低くすると、表示データが見えにくくなる。そこで、画像形成装置１００（表示装置１０１）では、第２待機モードから通常モードに移行したときに、上記のような特徴の表示データを液晶パネル１１にカラーで表示し、バックライトユニット１２を通常輝度（高輝度）に設定する。
【００６９】
制御部１９０は、バックライトユニットの輝度を低輝度から高輝度に変更する場合には、輝度を段階的に変更するように設定してもよい。画像形成装置は、第２待機モードのときには、前記のように画像形成部を待機状態にしており、印刷が可能な状態に復帰するのに、例えば６０秒程度必要である。この場合には、制御部１９０は、ステップＳ６において、ユーザの操作を検出すると、通常モードに移行中である旨の表示データを記憶部１６０から読み出して液晶パネル１１に表示し、バックライトユニット１２の輝度を低輝度に制御する。制御部１９０は、３０秒が経過すると、バックライトユニット１２の輝度を中輝度に変更する（Ｓ１２）。そして、制御部１９０は、さらに３０秒が経過すると、すなわち、ステップＳ６においてユーザの操作を検出してから６０秒後にバックライトユニット１２の輝度を高輝度に変更する（Ｓ１）。または、バックライトユニット１２の輝度を低輝度から高輝度に徐々に変更させてもよい。このように、バックライトユニット１２の輝度が段階的に変化するので、ユーザに違和感を与えることなく、輝度を変更できる。
【００７０】
制御部１９０は、ステップＳ２またはステップＳ４において、所定時間（例えば５分間）が経過するまでに、ユーザの操作、またはパソコン２１０からの印刷ジョブを受け付けた場合には（Ｓ２：Ｎ、またはＳ４：Ｎ）、実行するジョブが所定量以上、例えば印刷枚数が１０枚以上の印刷ジョブであるかどうかを確認する（Ｓ９）。制御部１９０は、実行するジョブが印刷枚数１０枚以上の印刷ジョブの場合には（Ｓ９：Ｙ）、記憶部１６０から管理番号３−１の表示データと輝度データを読み出す。そして、図８（Ｄ）に示すモノクロのプリントジョブ状況表示データを液晶パネル１１に表示させ、バックライトユニット１２を低輝度に設定する（Ｓ１０）。
【００７１】
制御部１９０は、印刷ジョブが終了するまで、表示状態を変更せずに表示部１０に印刷ジョブの進行状況の確認用表示データを表示する（Ｓ１１：Ｎ、Ｓ１０）。制御部１９０は、印刷ジョブが終了すると（Ｓ１１：Ｙ）、ステップＳ７の処理を行う。
【００７２】
また、制御部１９０は、ステップＳ２またはステップＳ４で受け付けた処理が、印刷枚数１０枚以上の印刷ジョブと異なる場合には（Ｓ９：Ｎ）、ステップＳ７の処理を行う。
【００７３】
これらの場合には、制御部１９０は、実行するジョブに応じた表示データと対応する輝度データを記憶部１６０から読み出す。そして、制御部１９０は、読み出した表示データを液晶パネル１１に表示し、読み出した輝度データに基づいてバックライトユニット１２の輝度を制御する。
【００７４】
このように、画像形成装置１００では、ジョブを実行しない時間が所定時間経過したときだけでなく、ユーザの操作やジョブの入力があったときにも、受け付けたジョブを実行するときに表示する表示データの内容に応じて、輝度を低下させ、また視認性を向上させるために、表示データの色を変更する。これにより、表示データの視認性が低下することなく、表示部１０のバックライトユニット１２の寿命を延ばすことができ、消費電力を低減できる。
【００７５】
なお、上記の説明では、起動直後は、表示部１０のバックライトユニット１２を通常輝度で点灯させるものとして説明したが、これに限るものではなく、起動直後から、表示データの内容に応じて、表示データの色や輝度を変更させてもよい。例えば、起動直後に表示するメニュー画面の表示データは、バックライトユニット１２の輝度を低輝度に制御し、モノクロ表示データとして表示しても、視認性が低下することがない。そのため、起動直後から、バックライトユニット１２の輝度を低輝度に制御して、モノクロ表示データを表示してもよい。
【００７６】
また、起動直後からメニュー画面を上記のように低輝度・モノクロ表示データで表示するかどうかは、ユーザが設定できるように構成してもよい。
【００７７】
また、バックライトユニット１２の輝度を、通常輝度（高輝度）、中輝度、低輝度の３つの輝度に設定した例を説明したが、これに限らず、表示データに応じて、さらに輝度を細かく変更してもよい。
【００７８】
また、上記の説明では、本発明の表示装置を画像形成装置に設けた場合を例に挙げて説明したが、本発明はこれに限るものではなく、他の装置に表示装置に設けてもよい。例えば、携帯電話やパソコンなど表示部（表示装置）備えた機器に本発明の適用が可能である。
【符号の説明】
【００７９】
１０…表示部  １１…液晶パネル  １２…バックライトユニット  １４…ＬＥＤ  ２０…操作部  ２１…タッチパネル  ４０…光走査ユニット  ４１…中間転写ベルト  ５０Ａ…画像形成ステーション  ５０Ａ，５０Ｂ，５０Ｃ，５０Ｄ…画像形成ステーション  ５１Ａ，５１Ｂ，５１Ｃ，５１Ｄ…感光体ドラム  ６０…中間転写ベルトユニット  ７０…二次転写ローラ  ８０…定着装置  ９１…給紙トレイ  ９２…トレイ  ９５…用紙排紙トレイ  １００…画像形成装置  １１０…パネルユニット  １２０…自動原稿搬送部  １２１…原稿積載トレイ  １２２…搬送ユニット  １２３…原稿排出トレイ  １３０…画像読取部  １４０…画像形成部  １５０…給紙部  １６０…記憶部  １７０…画像処理部  １８０…通信部  １９０…制御部  ２００…通信回線  ２１０…パソコン
【図１】
0005619683.tif 000002
【図２】
0005619683.tif 000003
【図３】
0005619683.tif 000004
【図４】
0005619683.tif 000005
【図５】
0005619683.tif 000006
【図６】
0005619683.tif 000007
【図７】
0005619683.tif 000008
【図８】
0005619683.tif 000009